(57)【特許請求の範囲】
【請求項１】
濾過される液体の入口と、濾過された前記液体の出口とが設けられたハウジングと、
前記ハウジング内を垂直に延び、駆動手段によって回転される駆動シャフトと、
該駆動シャフトの回転によって回転され、前記液体を濾過する媒体ストレーナーを取り付けるための穿孔が複数設けられたドラムと、
圧力により、前記液体に、前記ハウジングの前記入口を通過させて前記ハウジングの内側と前記ドラムの外側との間の空間へ移動させ、前記穿孔に取り付けられた前記媒体ストレーナーを通過させて前記ドラムの内側へ移動させるとともに、前記液体と一緒に流れる固形物である同伴固形物を前記媒体ストレーナー内に捕捉させ、前記液体に前記ハウジングの前記出口を通過させて前記ドラムの外部へ導出させる流路と、
前記液体から前記同伴固形物を除去する逆洗アセンブリと、
を有し、
前記ハウジングには、少なくとも１つの逆洗開口が設けられ、前記ドラムが回転する際には、前記媒体ストレーナーが該逆洗開口と対向するように配置され、
前記逆洗アセンブリは、前記ハウジングに取り外し可能に設けられ、
前記逆洗アセンブリは、
前記ハウジングの外面に取外し可能に取着される逆洗プレートであって、前記逆洗開口を囲むとともに、前記逆洗開口と連通する流出開口を有する前記逆洗プレートと、
前記逆洗プレートの外面に固着される逆洗出口管であって、前記流出開口と連通するとともに減圧ラインと連通する前記逆洗出口管と、
中央開口を有するスライドストリップであって、該スライドストリップは、前記ドラムの外側に摺動可能に当接するように配置され、前記洗浄される選択された媒体ストレーナーは、前記中央開口内に露出するように配置される、前記スライドストリップと、
前記中央開口と前記流出開口との間にシール接続部を形成するように前記逆洗プレートの内面に固着されるスロットプレートであって、それによって、前記液体が、前記ドラムの内側から、前記洗浄される選択された媒体ストレーナーを通って、前記逆洗開口に向かう方向に流れて、前記洗浄される選択された媒体ストレーナーの内部に捕捉されている前記同伴固形物を前記逆洗開口及び該取外し可能な逆洗アセンブリを通して前記減圧ラインへ洗い流す、前記スロットプレートと、
を有するストレーナーアセンブリ。
【請求項２】
それぞれが逆洗アセンブリを有する２つの逆洗開口が設けられ、一方が前記ドラムの上側エリアに隣接して設けられ、他方が前記ドラムの下側エリアに隣接して設けられる、請求項１に記載のストレーナーアセンブリ。
【請求項３】
前記シール接続部を形成する前記スロットプレートは、前記流出開口の外周を完全にシールされる接続部を形成するように互いに接続される４つの前記スロットプレートを含む、請求項１に記載のストレーナーアセンブリ。
【請求項４】
前記スライドストリップは、前記中央開口を有し、該スライドストリップの面が、前記ドラムの外形面と合致する外形面になっている、請求項１に記載のストレーナーアセンブリ。
【請求項５】
前記取外し可能な逆洗アセンブリが前記ハウジングのフレームに取り付けられると、前記外形面は、前記ドラムと完全に接触して前記ドラム上を摺動する、請求項４に記載のストレーナーアセンブリ。
【請求項６】
前記スライドストリップの前記中央開口は、前記逆洗アセンブリによって洗浄される所定数の媒体ストレーナーを包囲する寸法になっている、請求項５に記載のストレーナーアセンブリ。
【請求項７】
前記ドラムと前記ハウジングとの間に本体分離環が取外し可能に取り付けられる、請求項１に記載のストレーナーアセンブリ。
【請求項８】
前記本体分離環は、回転する前記ドラムを支持する傾斜支持面を有する、請求項７に記載のストレーナーアセンブリ。
【請求項９】
濾過される液体の入口と、濾過された前記液体の出口とが設けられたハウジングと、
前記ハウジング内を垂直に延び、駆動手段によって回転される駆動シャフトと、
該駆動シャフトの回転によって回転され、前記液体を濾過する媒体ストレーナーを取り付けるための穿孔が複数設けられたドラムと、
圧力により、前記液体に、前記ハウジングの前記入口を通過させて前記ハウジングの内側と前記ドラムの外側との間の空間へ移動させ、前記穿孔に取り付けられた前記媒体ストレーナーを通過させて前記ドラムの内側へ移動させるとともに、前記液体と一緒に流れる固形物である同伴固形物を前記媒体ストレーナー内に捕捉させ、前記液体に前記ハウジングの前記出口を通過させて前記ドラムの外部へ導出させる流路と、
前記液体から前記同伴固形物を除去する逆洗アセンブリと、
を有し、
前記ハウジングには、少なくとも１つの逆洗開口が設けられ、前記ドラムが回転する際には、前記媒体ストレーナーが該逆洗開口と対向するように配置され、
前記逆洗アセンブリは、前記ハウジングに取り外し可能に設けられ、
前記逆洗アセンブリは、
前記ハウジングの外面に取外し可能に取着される逆洗プレートであって、前記逆洗開口を囲むとともに、前記逆洗開口と連通する流出開口を有する前記逆洗プレートと、
前記逆洗プレートの外面に固着される逆洗出口管であって、前記流出開口と連通するとともに減圧ラインと連通する前記逆洗出口管と、
中央開口を有するスライドストリップであって、該スライドストリップは、前記ドラムの外側に摺動可能に当接するように配置され、前記洗浄される選択された媒体ストレーナーは、前記中央開口内に露出するように配置される、前記スライドストリップと、
前記中央開口と前記流出開口との間にシール接続部を形成するように前記逆洗プレートの内面に固着されるスロットプレートであって、それによって、前記液体が、前記ドラムの内側から、前記洗浄される選択された媒体ストレーナーを通って、前記逆洗開口に向かう方向に流れて、前記洗浄される選択された媒体ストレーナーの内部に捕捉されている前記同伴固形物を前記逆洗開口及び該取外し可能な逆洗アセンブリを通して前記減圧ラインへ洗い流す、前記スロットプレートと、
を含み、
それぞれが逆洗アセンブリを有する２つの逆洗開口が設けられ、一方が前記ドラムの上側エリアに隣接して設けられ、他方が前記ドラムの下側エリアに隣接して設けられ、
前記シール接続部を形成する前記スロットプレートは、前記流出開口の外周を完全にシールされる接続部を形成するように互いに接続される４つの前記スロットプレートを含み、
前記スライドストリップは、前記中央開口を有し、該スライドストリップの面が前記ドラムの外形面に合致する外形面になっている、ストレーナーアセンブリ。
【発明の詳細な説明】
【技術分野】
【０００１】
本発明は、液体から同伴固形物を取り除く分野に関し、濾過される液体物質を、大気圧を超える圧力下で、対応する数の媒体ストレーナーが内部に挿入されている複数の穿孔を有するドラムに通す、ストレーナーアセンブリの改良に関する。同伴固形物は、濾過される液体が媒体ストレーナーを通って濾過方向に流れる際、媒体ストレーナーによる固形物の捕捉によって液体から除去される。ドラムを逆洗開口の位置へ回転させると、ドラムの、逆洗開口と対向する位置にある、媒体ストレーナーは、液体物質が媒体ストレーナーを通って濾過方向とは逆の方向に流れることによって、捕捉した固形物が洗い流される。
【背景技術】
【０００２】
用途として例えば、冷却、デスケーリング、軸受潤滑、噴霧、急冷及び同様の目的に川水、湖水又は海水を用いる工場からの懸濁粒子を除去することが挙げられる。ストレーナーアセンブリは、２インチ径〜６０インチ径又はそれよりも大きい供給管路サイズに用いることができる。水以外の液体、例えば、酸及び他の化学物質、製紙工場の「白水」、下水、並びにコークス工場のアンモニア洗浄液も、効果的に濾過することができる。
【０００３】
［関連技術の記載］
「連続ストレーナー（Continuous Strainer）」と題する特許文献１が、本出願のストレーナーアセンブリに含まれる多くの部材を有するストレーナーアセンブリを教示している。
【先行技術文献】
【特許文献】
【０００４】
【特許文献１】米国特許第５，３１２，５４４号
【発明の概要】
【発明が解決しようとする課題】
【０００５】
しかしながら、本発明は、ストレーナーアセンブリの摩耗性部材の整備を大幅に容易にする改良を有する。本発明の特徴は、ストレーナーアセンブリの長期耐用年数を提供し、本分野における摩耗性部材の交換を可能にし、それにより、整備時間を短縮させ、生産性を高めている。
【課題を解決するための手段】
【０００６】
上記課題を解決するために本発明は、濾過される液体の入口と、濾過された前記液体の出口とが設けられたハウジングと、前記ハウジング内を垂直に延び、駆動手段によって回転される駆動シャフトと、該駆動シャフトの回転によって回転され、前記液体を濾過する媒体ストレーナーを取り付けるための穿孔が複数設けられたドラムと、圧力により、前記液体に、前記ハウジングの前記入口を通過させて前記ハウジングの内側と前記ドラムの外側との間の空間へ移動させ、前記穿孔に取り付けられた前記媒体ストレーナーを通過させて前記ドラムの内側へ移動させるとともに、前記液体と一緒に流れる固形物である同伴固形物を前記媒体ストレーナー内に捕捉させ、前記液体に前記ハウジングの前記出口を通過させて前記ドラムの外部へ導出させる流路と、前記液体から前記同伴固形物を除去する逆洗アセンブリと、を有し、前記ハウジングには、少なくとも１つの逆洗開口が設けられ、前記ドラムが回転する際には、前記媒体ストレーナーが該逆洗開口と対向するように配置され、前記逆洗アセンブリは、前記ハウジングに取り外し可能に設けられ、前記逆洗アセンブリは、前記ハウジングの外面に取外し可能に取着される逆洗プレートであって、前記逆洗開口を囲むとともに、前記逆洗開口と連通する流出開口を有する前記逆洗プレートと、前記逆洗プレートの外面に固着される逆洗出口管であって、前記流出開口と連通するとともに減圧ラインと連通する前記逆洗出口管と、中央開口を有するスライドストリップであって、該スライドストリップは、前記ドラムの外側に摺動可能に当接するように配置され、前記洗浄される選択された媒体ストレーナーは、前記中央開口内に露出するように配置される、前記スライドストリップと、前記中央開口と前記流出開口との間にシール接続部を形成するように前記逆洗プレートの内面に固着されるスロットプレートであって、それによって、前記液体が、前記ドラムの内側から、前記洗浄される選択された媒体ストレーナーを通って、前記逆洗開口に向かう方向に流れて、前記洗浄される選択された媒体ストレーナーの内部に捕捉されている前記同伴固形物を前記逆洗開口及び該取外し可能な逆洗アセンブリを通して前記減圧ラインへ洗い流す、前記スロットプレートと、を有するストレーナーアセンブリである。
また、本発明は、それぞれが逆洗アセンブリを有する２つの逆洗開口が設けられ、一方が前記ドラムの上側エリアに隣接して設けられ、他方が前記ドラムの下側エリアに隣接して設けられるストレーナーアセンブリである。
本発明は、前記シール接続部を形成する前記スロットプレートは、前記流出開口の外周を完全にシールされる接続部を形成するように互いに接続される４つの前記スロットプレートを含むストレーナーアセンブリである。
本発明は、前記スライドストリップは、前記中央開口を有し、該スライドストリップの面が、前記ドラムの外形面と合致する外形面になっているストレーナーアセンブリである。
本発明は、前記取外し可能な逆洗アセンブリが前記ハウジングのフレームに取り付けられると、前記外形面は、前記ドラムと完全に接触して前記ドラム上を摺動するストレーナーアセンブリである。
本発明は、前記スライドストリップの前記中央開口は、前記逆洗アセンブリによって洗浄される所定数の媒体ストレーナーを包囲する寸法になっているストレーナーアセンブリである。
本発明は、前記ドラムと前記ハウジングとの間に本体分離環が取外し可能に取り付けられるストレーナーアセンブリである。
本発明は、前記本体分離環は、回転する前記ドラムを支持する傾斜支持面を有するストレーナーアセンブリである。
本発明は、濾過される液体の入口と、濾過された前記液体の出口とが設けられたハウジングと、前記ハウジング内を垂直に延び、駆動手段によって回転される駆動シャフトと、該駆動シャフトの回転によって回転され、前記液体を濾過する媒体ストレーナーを取り付けるための穿孔が複数設けられたドラムと、圧力により、前記液体に、前記ハウジングの前記入口を通過させて前記ハウジングの内側と前記ドラムの外側との間の空間へ移動させ、前記穿孔に取り付けられた前記媒体ストレーナーを通過させて前記ドラムの内側へ移動させるとともに、前記液体と一緒に流れる固形物である同伴固形物を前記媒体ストレーナー内に捕捉させ、前記液体に前記ハウジングの前記出口を通過させて前記ドラムの外部へ導出させる流路と、前記液体から前記同伴固形物を除去する逆洗アセンブリと、を有し、前記ハウジングには、少なくとも１つの逆洗開口が設けられ、前記ドラムが回転する際には、前記媒体ストレーナーが該逆洗開口と対向するように配置され、前記逆洗アセンブリは、前記ハウジングに取り外し可能に設けられ、前記逆洗アセンブリは、前記ハウジングの外面に取外し可能に取着される逆洗プレートであって、前記逆洗開口を囲むとともに、前記逆洗開口と連通する流出開口を有する前記逆洗プレートと、前記逆洗プレートの外面に固着される逆洗出口管であって、前記流出開口と連通するとともに減圧ラインと連通する前記逆洗出口管と、中央開口を有するスライドストリップであって、該スライドストリップは、前記ドラムの外側に摺動可能に当接するように配置され、前記洗浄される選択された媒体ストレーナーは、前記中央開口内に露出するように配置される、前記スライドストリップと、前記中央開口と前記流出開口との間にシール接続部を形成するように前記逆洗プレートの内面に固着されるスロットプレートであって、それによって、前記液体が、前記ドラムの内側から、前記洗浄される選択された媒体ストレーナーを通って、前記逆洗開口に向かう方向に流れて、前記洗浄される選択された媒体ストレーナーの内部に捕捉されている前記同伴固形物を前記逆洗開口及び該取外し可能な逆洗アセンブリを通して前記減圧ラインへ洗い流す、前記スロットプレートと、を含み、それぞれが逆洗アセンブリを有する２つの逆洗開口が設けられ、一方が前記ドラムの上側エリアに隣接して設けられ、他方が前記ドラムの下側エリアに隣接して設けられ、前記シール接続部を形成する前記スロットプレートは、前記流出開口の外周を完全にシールされる接続部を形成するように互いに接続される４つの前記スロットプレートを含み、前記スライドストリップは、前記中央開口を有し、該スライドストリップの面が前記ドラムの外形面に合致する外形面になっている、ストレーナーアセンブリである。
【図面の簡単な説明】
【０００７】
【図１】本発明のストレーナーアセンブリの立面図である。
【図２】本発明のストレーナーアセンブリの上面図である。
【図３】図２の３−３の断面線に沿ったストレーナーアセンブリの側面断面図である。
【図４】取外し可能な逆洗アセンブリが取り外されている、本発明のストレーナーアセンブリの立面図である。
【図５ａ】取外し可能な逆洗アセンブリが取り外されている、図２の５−５の断面線に沿ったストレーナーアセンブリの側面断面図である。
【図５ｂ】取外し可能な逆洗アセンブリが適所にある、図２の５−５の断面線に沿ったストレーナーアセンブリの側面断面図である。
【図６】図５ａ及び図５ｂの６−６の断面線に沿ったストレーナーアセンブリの上面断面図である。
【図７】図２の５−５の断面線に沿った本発明の取外し可能な逆洗アセンブリの側面断面図である。
【図８】本発明の取外し可能な逆洗アセンブリの正面図である。
【図９】本発明の取外し可能な逆洗アセンブリの上面図である。
【図１０】本発明の本体分離環の上面図である。
【発明を実施するための形態】
【０００８】
図１及び図２は、本発明のストレーナーアセンブリ１の立面図及び上面図をそれぞれ示す。ストレーナーアセンブリ１には、液体を濾過させる配管系にストレーナーアセンブリ１を挿入するのに用いるフランジ２ａ及び２ｂが設けられている。ストレーナーアセンブリ１は、閉じた底部４と取外し可能な頭部５とを有するハウジング３を有する。図３に示されているように、駆動シャフト６が、ドラム７を回転させるために頭部５を通って下方に延びている。駆動シャフト６は、モーター８によって歯車減速機９を通じて回転する。図示も詳細に説明もされていないが、駆動シャフト６を適所に回転可能に保持するベアリングと、大気圧を超える圧力にある濾過される液体がストレーナーアセンブリ１から漏れることを防止するシールとが、頭部５内に設けられている。ドラム７の下端部は、以下で説明する本体分離環１０に回転可能に支持される。
【０００９】
ドラム７は、閉じた頂部１１と、開いた底部１２と、内周にねじが設けられた穿孔１３とを有する。このねじ付き穿孔１３内には、外周にねじが設けられた一個の媒体ストレーナー１４が取り付けられている。穿孔１３は円形である。
【００１０】
動作の際の流路を説明すると、濾過される液体は、入口１５を通ってストレーナーアセンブリ１に入り、濾過された後、出口１６を通ってストレーナーアセンブリ１を出る。より具体的には、濾過される液体は、入口１５に入り、ハウジング３とドラム７との間を流れる。濾過される液体は、大気圧を超える圧力、好ましくは２０ｐｓｉ(重量ポンド／インチ2：lbf／inch2、20psi=137.9kPa)よりも高い圧力にある。濾過される液体は、液体と一緒に流れ、液体中に同伴されている固形物を捕捉及び保持する媒体ストレーナー１４内を通る。流れ方向は、図３において矢印によって示されているようにドラム７の外側からドラム７の内部へと向かうものである。濾過された液体は、ドラム７の開いた底部１２を通って出口１６へと続く。
【００１１】
濾過される液体及び取り除かれるべき固形物に最も適した媒体ストレーナー１４を、様々な形状及びサイズの開口を有する多様な媒体ストレーナー１４から選択することができる。媒体ストレーナー１４は全て、ドラム７のねじ付き穿孔１３に対応するサイズのねじ山を有する外面を有する。
【００１２】
本発明のストレーナーアセンブリ１は、連続的に動作するように構成されており、このストレーナーアセンブリ１には、媒体ストレーナー１４内に保持された固形物を絶えず又は周期的に除去する逆洗システムが設けられている。濾過作業を依然として維持したまま、固形物の除去が行われる。
【００１３】
ストレーナーアセンブリ１に対する改良は、取外し可能な逆洗アセンブリ１８及び取外し可能な本体分離環１０を含み、これらにより、ストレーナーアセンブリ１に対する配管及びストレーナーアセンブリ１からの配管を取り外すことなくストレーナーアセンブリ１を整備することが可能になる。
【００１４】
図４を参照すると、ストレーナーアセンブリ１は、ハウジング３内に少なくとも１つのハウジング開口１７を有しており、このハウジング開口１７は、ドラム７における媒体ストレーナー１４がハウジング開口１７と対向するように配置されている。好ましい実施形態では、図５ａ及び図５ｂに示されているように、２つのハウジング開口１７ａ及び１７ｂがハウジング３に設けられている。この構成により、ドラム７の上部に配置される媒体ストレーナー１４は、ハウジング開口１７ａを介して逆洗することができ、ドラム７の下部に配置される媒体ストレーナー１４は、ハウジング開口１７ｂを介して逆洗することができる。
【００１５】
図５ｂ、図６、図７、図８及び図９を参照しながら、逆洗方法を記載する。ハウジング開口１７ａ、１７ｂのそれぞれに、取外し可能な逆洗アセンブリ１８が設置される。図７、図８及び図９は、取外し可能な逆洗アセンブリ１８を側面断面図、正面図及び上面図でそれぞれ示す。図５ｂ及び図６は、ハウジング開口１７ａ、１７ｂ内に設置された取外し可能な逆洗アセンブリ１８を側面断面図及び上面断面図でそれぞれ示す。
【００１６】
取外し可能な逆洗アセンブリ１８（図７）は逆洗プレート１９を有し、この逆洗プレート１９は、好ましくは、逆洗プレート１９の開口１９ａに挿通されるとともに、次に、ハウジング開口１７を囲む取付けフレーム２１（図４）に設けられているねじ付きキャビティ２０に挿入されるボルト等の締結具によって、ハウジング３に取外し可能に取着される。取付けフレーム２１は、プレートをハウジング３に溶接することによって、又は、鋳造されるハウジング３に取付けフレーム２１を設けることによって設けることができる。図示されていないが、取外し可能な逆洗アセンブリ１８と取付けフレーム２１との間にゴム製ガスケット等が配置されることが好ましい。
【００１７】
図５ｂに示されているように、ハウジング開口１７ａにおける逆洗プレート１９は、ドラム７の上部の媒体ストレーナー１４を洗浄するのに用いられ、ハウジング開口１７ｂにおける逆洗プレート１９は、ドラム７の下部の媒体ストレーナー１４を洗浄するのに用いられる。
【００１８】
逆洗プレート１９は流出開口２２を有し、この流出開口２２を通して、洗い流された固形物をストレーナーアセンブリ１から除去する。洗い流された固形物を処分するよう輸送することができるように、逆洗出口管２３が流出開口２２と連通することが好ましい。
【００１９】
逆洗プレート１９の、逆洗出口管２３が配置される面と対向する面側に、スロットプレート２４が、流出開口２２と連通するシール接続部を形成するように配置される。図８に破線によって最もよく示されているように、スロットプレート２４は、外周を完全にシールされる接続部を形成するように互いに接続される。
【００２０】
スロットプレート２４の、逆洗プレート１９に接続される端部に対向する端部に、中央開口２６を有するスライドストリップ(摺動片)２５が配置される。図５ｂ及び図６に最もよく示されているように、スライドストリップ２５は、スライドストリップ２５の面が、ドラム７の、スライドストリップ２５がドラム７に接触してドラム７上を摺動する部分における、ドラム７の外形面に合致する外形面になっている。
【００２１】
取外し可能な逆洗アセンブリ１８は、逆洗プレート１９と、逆洗出口管２３と、スロットプレート２４と、スライドストリップ２５とを有することで、中央開口２６から出口管２３の端にかけて水密エンクロージャーを提供する。
【００２２】
取外し可能な逆洗アセンブリ１８の寸法は、取外し可能な逆洗アセンブリ１８がハウジング３の取付けフレーム２１に取り付けられた場合にスライドストリップ２５の外形面が完全にドラム７と接触してドラム７上を摺動するようなものである。スライドストリップ２５の中央開口２６は、取外し可能な逆洗アセンブリ１８によって洗浄される媒体ストレーナー１４を包囲する寸法になっている。例えば、図５ｂ及び図６を参照すると、ハウジング開口１７ａは、４つの媒体ストレーナー１４の洗浄をもたらす。図６は、垂直方向に位置合わせされた１列の媒体ストレーナー１４が、中央開口２６によって包囲されることを示し、図５ｂは、水平方向に位置合わせされた４列の媒体ストレーナー１４がスライドストリップ２５の中央開口２６によって包囲されることを示す。媒体ストレーナー１４を垂直配向された列及び水平配向された列にして配置することにより、媒体ストレーナー１４をスライドストリップ２５の中央開口２６によって包囲しやすくなるが、そのような位置合わせは、本発明の実施には必須ではない。ドラム７の媒体ストレーナー１４の全ては、ドラム７をモーター８によって回転させることによって、捕捉されたいかなる固形物も洗い流すことができる。本発明の装置は、遠心分離機として動作するものではない。ドラム７の回転は、比較的低速であり、通常は約８ｒｐｍ〜１４ｒｐｍである。
【００２３】
所定数の媒体ストレーナー１４が中央開口２６によって包囲される場合、濾過される液体の圧力が、中央開口２６における大気圧よりも高くなり、ドラム７の内部の液体が、媒体ストレーナー１４を通って外方へ流れ、補足されているいかなる固形物も洗い流す。洗浄を終了させる場合、液体がドラム７の内部から媒体ストレーナー１４を通って流れ出ることを阻止するために、逆洗出口管２３の下流の弁（図示せず）を閉じることができる。この状況では、濾過される液体を、媒体ストレーナー１４に通して内方に流す通常の条件が変わらないため、濾過される液体の濾過が依然として続く。
【００２４】
ハウジング３に取外し可能に取着される取外し可能な逆洗アセンブリ１８の使用により、ハウジング３の頭部５若しくは閉じた底部４を取り外すことなく、又は、配管設備からストレーナーアセンブリ１を完全に取り外すこともなく、ストレーナーアセンブリ１の幾つかの部分の効率的な整備が可能になる。
【００２５】
本発明のストレーナーアセンブリ１の別の特徴は、図３、図５ａ、図５ｂ、図６及び図１０に示されている本体分離環１０である。上述したように、ドラム７は、本体分離環１０に回転可能に支持され、さらにこの本体分離環１０がハウジング３の一部によって支持される。本体分離環１０におけるドラム７の回転は、回転している間、ドラム７及び本体分離環１０に摩耗を生じさせる。従来のストレーナーアセンブリ１では、本本体分離環１０のドラム７支持面と同様のドラム７支持面が、ハウジング３内に鋳造されるか又は別様にハウジング３内に恒久的に設けられていた。ドラム７支持面の修繕には、たいていの場合、配管系、及びハウジング３の機械等から、ストレーナーアセンブリ１を取り外す必要があった。本本体分離環１０を有するストレーナーアセンブリ１の使用により、単に頭部５及びドラム７を取り外すことによって、ドラム７の支持面を交換することが可能になる。
【００２６】
図１０は、本発明の本体分離環１０の上面図を示す。本体分離環１０は、図１０に示されているように、本体分離環１０をハウジング３に取り付けるのに用いる、外周に等間隔に離間した４つのタブ２７を有することが好ましい。これらのタブ２７を固定する際に用いるねじ付きキャビティ２０がハウジング３内に設けられることが好ましい。図１０において２８で示されている傾斜面が、ドラム７が回転可能に支持される支持面を提供する。図３、図５ａ及び図５ｂに示されているように、ドラム７は上側が大きく下側が小さいテーパー状であり、濾過されてドラム７内に移動した液体が壁面上を流れるようになっていることが好ましく、本体分離環１０の傾斜面は、支持されるドラム７のテーパー角度と同じ傾斜角度を有する。本体分離環１０の使用により、ストレーナーアセンブリ１の整備が大幅に容易になる。
【図１】
0005869623.tif 000002
【図２】
0005869623.tif 000003
【図３】
0005869623.tif 000004
【図４】
0005869623.tif 000005
【図５ａ】
0005869623.tif 000006
【図５ｂ】
0005869623.tif 000007
【図６】
0005869623.tif 000008
【図７】
0005869623.tif 000009
【図８】
0005869623.tif 000010
【図９】
0005869623.tif 000011
【図１０】
0005869623.tif 000012